(57)【特許請求の範囲】
【請求項１】
画像データを多重解像度空間に変換することにより得られる多重解像度画像データであって、該多重解像度画像データから得られる所定解像度の画像データを再生する際に該所定解像度の画像データに対して施すシャープネス処理に関するシャープネス情報が付与された多重解像度画像データから前記所定解像度以外の所望とする解像度の画像データを得、該所望とする解像度の画像データに対して前記シャープネス処理を施す画像処理方法であって、
前記所望とする解像度および前記シャープネス情報に基づいて、該所望とする解像度の画像データに対して施すシャープネス処理を決定し、
該決定されたシャープネス処理を前記所望とする解像度の画像データに対して施して処理済み画像データを得ることを特徴とする画像処理方法。
【請求項２】
前記所定解像度は最高解像度であることを特徴とする請求項１記載の画像処理方法。
【請求項３】
前記シャープネス情報が、前記画像データを多重解像度空間に変換するフィルタの特性量を含むことを特徴とする請求項１または２記載の画像処理方法。
【請求項４】
前記決定されたシャープネス処理は、前記処理済み画像データを再生することにより得られる再生画像の０．５〜２．０cycle/mmの周波数帯域に含まれる所定の周波数における周波数特性を、前記所定解像度の画像データに対して前記シャープネス情報に基づいてシャープネス処理を施すことにより得られる所定解像度処理済み画像データの前記所定の周波数における周波数特性と一致させる処理であることを特徴とする請求項１から３のいずれか１項記載の画像処理方法。
【請求項５】
画像データを多重解像度空間に変換することにより得られる多重解像度画像データであって、該多重解像度画像データから得られる所定解像度の画像データを再生する際に該所定解像度の画像データに対して施すシャープネス処理に関するシャープネス情報が付与された多重解像度画像データから前記所定解像度以外の所望とする解像度の画像データを得、該所望とする解像度の画像データに対して前記シャープネス処理を施す画像処理装置であって、
前記所望とする解像度および前記シャープネス情報に基づいて、該所望とする解像度の画像データに対して施すシャープネス処理を決定する決定手段と、
該決定されたシャープネス処理を前記所望とする解像度の画像データに対して施して処理済み画像データを得るシャープネス処理手段とを備えたことを特徴とする画像処理装置。
【請求項６】
前記所定解像度は最高解像度であることを特徴とする請求項５記載の画像処理装置。
【請求項７】
前記シャープネス情報が、前記画像データを多重解像度空間に変換するフィルタの特性量を含むことを特徴とする請求項５または６記載の画像処理装置。
【請求項８】
前記決定手段は、前記処理済み画像データを再生することにより得られる再生画像の０．５〜２．０cycle/mmの周波数帯域に含まれる所定の周波数における周波数特性を、前記所定解像度の画像データに対して前記シャープネス情報に基づいてシャープネス処理を施すことにより得られる所定解像度処理済み画像データの前記所定の周波数における周波数特性と一致させるように前記シャープネス処理を決定する手段であることを特徴とする請求項５から７のいずれか１項記載の記載の画像処理装置。
【請求項９】
画像データを多重解像度空間に変換することにより得られる多重解像度画像データであって、該多重解像度画像データから得られる所定解像度の画像データを再生する際に該所定解像度の画像データに対して施すシャープネス処理に関するシャープネス情報が付与された多重解像度画像データから前記所定解像度以外の所望とする解像度の画像データを得、該所望とする解像度の画像データに対して前記シャープネス処理を施す画像処理方法をコンピュータに実行させるためのプログラムを記録したコンピュータ読取り可能な記録媒体であって、
前記プログラムは、前記所望とする解像度および前記シャープネス情報に基づいて、該所望とする解像度の画像データに対して施すシャープネス処理を決定する手順と、
該決定されたシャープネス処理を前記所望とする解像度の画像データに対して施して処理済み画像データを得る手順と有することを特徴とするコンピュータ読取り可能な記録媒体。
【請求項１０】
前記所定解像度は最高解像度であることを特徴とする請求項９記載のコンピュータ読取り可能な記録媒体。
【請求項１１】
前記シャープネス情報が、前記画像データを多重解像度空間に変換するフィルタの特性量を含むことを特徴とする請求項９または１０記載のコンピュータ読取り可能な記録媒体。
【請求項１２】
前記シャープネス処理を決定する手順は、前記処理済み画像データを再生することにより得られる再生画像の０．５〜２．０cycle/mmの周波数帯域に含まれる所定の周波数における周波数特性を、前記所定解像度の画像データに対して前記シャープネス情報に基づいてシャープネス処理を施すことにより得られる所定解像度処理済み画像データの前記所定の周波数における周波数特性と一致させるように前記シャープネス処理を決定する手順であることを特徴とする請求項９から１１のいずれか１項記載のコンピュータ読取り可能な記録媒体。
【発明の詳細な説明】
【０００１】
【発明の属する技術分野】
本発明は、画像データを多重解像度空間に変換することにより得られた多重解像度画像データにおける所望とする解像度の画像データにシャープネス処理を施す画像処理方法および装置並びに画像処理方法をコンピュータに実行させるためのプログラムを記録したコンピュータ読取り可能な記録媒体に関するものである。
【０００２】
【従来の技術】
画像データの保存形式としては、ＪＰＥＧ、ＧＩＦ、ＴＩＦＦ等種々の形式が存在するが、近年画像データを解像度または濃度分解能毎に階層的に分解し、各階層毎のデータ（階層データ）を符号化して圧縮保管する形式が提案されている。この保存形式は、具体的には画像データをウェーブレット変換等により複数の解像度毎あるいは濃度分解能毎の階層データに分解し、この分解された各解像度あるいは各濃度分解能毎の階層データを階層順に符号化して１つのファイルとして圧縮して保管するものである。
【０００３】
この保存方式は以下のような特徴を有する。
【０００４】
（１）従来のＪＰＥＧで用いられているＤＣＴ（Discrete Cosine Transform）方式のように、画像データをブロック毎に処理していないため、ブロック歪みのようなアーチファクトが生じない。
【０００５】
（２）画像データが階層的に符号化されているため、画像データの転送の際に必要な解像度の情報のみを転送すればよく、効率的な画像転送が可能となる。
【０００６】
（３）画像データが多重解像度あるいは多重濃度分解能に分解されているため、周波数強調処理等種々の画像処理を比較的簡単に行うことができる。
【０００７】
（４）多重解像度解析による色空間と周波数との同時分解が可能であり、符号化効率に大きく影響を与える低周波数領域に対しては広い範囲で直交変換を行い、高周波領域に対しては狭い範囲で直交変換が可能となるため、画像中のエッジ周辺部に量子化ノイズが発生しても、その色空間的広がりを抑えることができる。このため、ノイズが知覚されにくい。
【０００８】
また、イーストマンコダック社が提案するＦｌａｓｈＰｉｘファイルのように、１つのファイル内に複数の性質の異なるデータを記録することができるファイル形式が提案されているが、このようなＦｌａｓｈＰｉｘ規格のファイルにも、多重解像度あるいは多重濃度分解能に分解された階層データを保管することも可能である。
【０００９】
一方、画像のシャープネスを強調するために、下記のアンシャープマスキング処理を行う式により画像データに対してシャープネス処理を施すことも行われている。
【００１０】
Ｓproc＝Ｓorg＋β・（Ｓorg−Ｓus）
Ｓproc：処理済み画像データ
Ｓorg ：オリジナル画像データ
Ｓus  ：ボケマスク画像データ
β：強調度（例えば１）
また、画像データはネットワーク等を介して種々の画像サーバあるいはクライアント間において転送されることから、画像データに上記シャープネス強調処理に関する情報（例えば上記式における強調度β）を添付し、この情報が添付された画像データを転送することが行われている。このように画像データにシャープネス処理に関する情報（以下シャープネス情報とする）を添付することにより、画像データを受け取ったクライアントは、そのシャープネス情報に基づいて適切なシャープネス処理を画像データに対して施すことができる。
【００１１】
【発明が解決しようとする課題】
ところで、上述したように多重解像度空間に変換された画像データに対しても、上記シャープネス情報を添付して転送することが可能であるが、多重解像度画像データに対しては、クライアントが中間解像度の画像データのみしか要求しないことがある。これは比較的低解像度のモニタに画像を表示する場合は最高解像度の画像データは不要であり、またネットワークが混雑しているときには最高解像度の画像データでは転送に長時間を要するからである。この場合にも、中間解像度までの画像データとともにシャープネス情報が転送されるため、クライアントにおいてはこのシャープネス情報に基づいて中間解像度の画像データに対してシャープネス処理を施すこととなる。しかしながら、このシャープネス情報は最高解像度の画像データに対応して設定されており、なおかつ中間解像度の画像データは高周波情報が欠落しているため、このシャープネス情報により中間解像度の画像データに対してシャープネス処理を施すと、得られる画像が意図しているよりもボケた印象のものとなってしまうという問題がある。また、シャープネス情報は最高解像度のみならず、所定解像度（例えば最高解像度の１／２の解像度）の画像データに対応して設定されている場合もあり、このような場合においてもシャープネス情報により所定解像度以外の画像データに対してシャープネス処理を施すと、高周波情報が欠落したり、逆に高周波情報が大きすぎたりすることがあるため、得られる画像のシャープネスを適切なものとすることができない。
【００１２】
本発明は上記事情に鑑みなされたものであり、多重解像度画像データのうちシャープネス情報が設定された所定解像度以外の解像度の画像データに対しても、適切なシャープネス処理を施すことができる画像処理方法および装置並びに画像処理方法をコンピュータに実行させるためのプログラムを記録したコンピュータ読取り可能な記録媒体を提供することを目的とするものである。
【００１３】
【課題を解決するための手段】
本発明による画像処理方法は、画像データを多重解像度空間に変換することにより得られる多重解像度画像データであって、所定解像度の画像データを再生する際に前記多重解像度画像データに対して施すシャープネス処理に関するシャープネス情報が付与された多重解像度画像データのうち、前記所定解像度以外の所望とする解像度の画像データに対して前記シャープネス処理を施す画像処理方法であって、
前記所望とする解像度および前記シャープネス情報に基づいて、該所望とする解像度の画像データに対して施すシャープネス処理を決定し、
該決定されたシャープネス処理を前記所望とする解像度の画像データに対して施して処理済み画像データを得ることを特徴とするものである。
【００１４】
ここで、「シャープネス情報を付与する」とは、多重解像度画像データを記録したファイルのヘッダ部等にシャープネス情報を記録することのみならず、シャープネス情報を別ファイルとし、このファイルを多重解像度画像データを記録したファイルと対応付けておくことをも含むものである。
【００１５】
また、「シャープネス情報」としては、上記アンシャープマスキング処理における強調度の他、強調度を表す関数、画像データを得た画像生成装置や処理済み画像データを再生する再生装置の情報等、画像データの周波数特性を表すことができる情報をも含むものである。
【００１６】
本発明による画像処理装置は、本発明による画像処理方法を実施するためのものであり、前記所望とする解像度および前記シャープネス情報に基づいて、該所望とする解像度の画像データに対して施すシャープネス処理を決定する決定手段と、
該決定されたシャープネス処理を前記所望とする解像度の画像データに対して施して処理済み画像データを得るシャープネス処理手段とを備えたことを特徴とするものである。
【００１７】
なお、所定解像度は画像データの最高解像度としてもよい。
【００１８】
また、前記シャープネス情報としては、前記画像データを多重解像度空間に変換するフィルタの特性量を含むことが好ましい。
【００１９】
さらに、シャープネス処理としては、前記処理済み画像データを再生することにより得られる再生画像の０．５〜２．０cycle/mmの周波数帯域に含まれる所定の周波数におけるシャープネスを、前記所定解像度の画像データに対して前記シャープネス情報に基づいてシャープネスを施した場合における前記所定の周波数におけるシャープネスと略一致させる処理であることが好ましい。
【００２０】
さらに、本発明による画像処理方法をコンピュータに実行させるプログラムとして、コンピュータ読取り可能な記録媒体に記録して提供してもよい。
【００２１】
【発明の効果】
本発明によれば、所望とする解像度および多重解像度画像データに添付されたシャープネス情報に基づいて、所望とする解像度の画像データに対して施すシャープネス処理を決定し、この決定されたシャープネス処理を所望とする解像度の画像データに対して施すようにしたため、所定解像度以外の解像度の画像データに対しても所望とするシャープネス処理を施すことができることとなる。したがって、処理済み画像データを再生することにより、違和感のない適切なシャープネスを有する画像を得ることができる。
【００２２】
【発明の実施の形態】
以下図面を参照して本発明の実施形態について説明する。
【００２３】
図１は本発明の実施形態による画像処理装置の構成を示す概略ブロック図である。図１に示すように本実施形態による画像処理装置は、画像サーバ１０とネットワーク１１を介して接続されている。画像サーバ１０には後述するようにして符号化して作成した符号化画像ファイルＦが保管されている。画像処理装置は、画像サーバ１０に保管された符号化画像ファイルＦから所望とする解像度までの符号化画像データＳ０および符号化画像ファイルＦのヘッダ部に記録されたシャープネス処理に関する情報Ｈをネットワーク１１を介して読み込む画像ファイル読込手段１と、符号化画像データＳ０を解凍して復元画像データＳ１を得る解凍手段２と、ヘッダ部に記録されたシャープネス処理に関する情報Ｈに基づいて復元画像データＳ１に対して施すシャープネス処理のパラメータＰを設定するパラメータ設定手段３と、パラメータ設定手段３において設定されたパラメータＰに基づいて復元画像データＳ１に対してシャープネス処理を施して処理済み画像データＳ２を得るシャープネス処理手段４と、処理済み画像データＳ２を再生するプリンタ、モニタ等の再生手段５とからなる。
【００２４】
符号化画像ファイルＦは具体的には以下のようにして各階層毎の階層データに分解されて画像サーバ１０に保管されている。まず図２（ａ）に示すように、符号化するオリジナル画像データがウェーブレット変換されて複数の解像度毎の４つのデータＬＬ１、ＨＬ０、ＬＨ０およびＨＨ０に分解される。ここで、データＬＬ１はオリジナル画像データにより表される画像の縦横を１／２に縮小した画像を表し、データＨＬ０、ＬＨ０およびＨＨ０はそれぞれ縦エッジ、横エッジおよび斜めエッジ成分の画像を表すものとなる。なお、本実施形態においてはウェーブレット変換を行う際のウェーブレット基底関数として、（1/2，1/2）を使用するものとする。そして、図２（ｂ）に示すようにデータＬＬ１をさらにウェーブレット変換して４つのデータＬＬ２、ＨＬ１、ＬＨ１およびＨＨ１を得る。ここで、データＬＬ２はデータＬＬ１の縦横をさらに１／２に縮小した画像を表すものとなり、データＨＬ１、ＬＨ１およびＨＨ１はそれぞれデータＬＬ１の縦エッジ、横エッジおよび斜めエッジ成分の画像を表すものとなる。そして、ウェーブレット変換を行う毎に得られるデータＬＬに対してウェーブレット変換を所望とする回数繰り返して、複数の解像度毎のデータを得る。その後、図２（ｃ）に示すように、各解像度毎のデータを符号化し、符号化されたデータを階層データとして１つのファイルに記録して符号化画像ファイルＦとするものである。
【００２５】
符号化画像ファイルＦのヘッダ部には、上述したように符号化された階層データを復号化することにより得られる最高解像度の復元画像データに対してシャープネス処理を施す際の強調度βがシャープネス処理に関する情報Ｈとして記録されている。ここで、強調度βとは下記に示すアンシャープマスキング処理の式（１）における強調度のことであり、本実施形態においては強調度β＝１とする。
【００２６】
Ｓproc＝Ｓorg＋β・（Ｓorg−Ｓus）          （１）
Ｓus＝ΣＳorg／Ｍ
Ｓproc：アンシャープマスキング処理が施された画像データ
Ｓorg ：オリジナル画像データ
Ｓus  ：ボケマスク画像データ
β：強調度
Ｍ：平滑化フィルタ
次いで、本実施形態による画像処理装置において行われる処理について説明する。図３は本実施形態による画像処理装置において行われる処理を示すフローチャートである。本実施形態においては、ネットワーク１１における通信回線の状況、あるいは再生手段５の種類あるいは性能により、符号化画像ファイルＦに含まれる全解像度の符号化画像データを読み込まないで、例えば１／２の解像度（面積では１／４）の符号化画像データＳ０を読み込むものとする。まず、ステップＳ１において、画像ファイル読込手段１により画像サーバ１０からネットワーク１１を介して１／２の解像度までの符号化画像データＳ０およびシャープネス処理に関する情報Ｈが画像処理装置に読み込まれる。符号化画像データＳ０は解凍手段２において解凍され（ステップＳ２）、最高解像度の１／２の解像度の画像を表す復元画像データＳ１が得られる。シャープネス処理に関する情報Ｈはパラメータ設定手段３に入力されて、パラメータＰが設定される（ステップＳ３）。このパラメータＰの設定は以下のようにして行われる。
【００２７】
符号化画像ファイルＦに含まれる符号化画像データのうち、最高解像度の画像データにより表される画像（以下全画像とする）の周波数特性を図４（ａ）に示すように全周波数帯域に亘って１であるとした場合に、上述したウェーブレット基底関数に基づいてオリジナル画像データをウェーブレット変換することにより得られた１／２の解像度の画像（以下１／２画像とする）の周波数特性を求める。この周波数特性はウェーブレット基底関数をフーリエ変換することにより解析的に求めることができる。このようにして求められた１／２画像の周波数特性を図４（ｂ）に示す。一方、上記式（１）における強調度β＝１の場合におけるシャープネスの強調分の周波数特性も同様に解析的に求めることができる。すなわち、ボケマスク画像データＳusを求める平滑化フィルタＭをフーリエ変換した関数ｒ（ｆ）を求め、この関数ｒ（ｆ）に基づいて強調分の周波数特性Ｒを下記の式（２）により求めることができる。この強調分の周波数特性を図４（ｃ）に示す。
【００２８】
Ｒ＝１＋β× （１−ｒ（ｆ））        （２）
次に全画像および１／２画像に対して、上記式（１）により強調度β＝１としてシャープネス処理を施した画像の周波数特性を求める。これらの周波数特性をそれぞれ図５（ａ）および図５（ｂ）に示す。図５（ａ），（ｂ）より、１／２画像に対して強調度β＝１によりシャープネス処理を施した場合は、全画像に対して強調度β＝１によりシャープネス処理を施したものと比較して、図５（ｃ）に示すように高周波のレスポンスが不足することとなる。ここで、視覚的にはシャープネスの感度は周波数帯域で０．５cycle/mm〜２．０cycle/mmにおいて最も高いものである。したがって、この０．５cycle/mm〜２．０cycle/mmの周波数帯域に着目し、この周波数帯域のある周波数（本実施形態では１cycle/mm）における不足分Ｋ１を図５（ｃ）から求める。
【００２９】
次に、図４（ｃ）に示す強調分における１cycle/mmにおける周波数特性Ｋ２を求める。そして、不足分Ｋ１と強調分における周波数特性Ｋ２とから下記の式（３）により１／２画像に対して上記式（１）によりシャープネス処理を施す際の強調度β１の値を設定する。
【００３０】
β１＝１＋１×（Ｋ１／Ｋ２）          （３）
ここで、本実施形態において、１cycle/mmの周波数において不足分Ｋ１が０．０５、１cycle/mmの周波数における強調分の周波数特性Ｋ２が０．２であったとすると、１／２画像に対する強調度β１は、
β１＝１＋１×（０．０５／０．２）＝１．２５
として求められる。そしてこのようにして求められた強調度β１の値をパラメータＰとして設定する。
【００３１】
次いで、シャープネス処理手段４においては、パラメータ設定手段３において設定されたパラメータＰに基づいて復元画像データＳ１に対して上記式（１）によりシャープネス処理が施されて処理済み画像データＳ２が得られる（ステップＳ４）。処理済み画像データＳ２は再生手段５に入力され可視像として再生される（ステップＳ５）。
【００３２】
このように、本実施形態によれば、全画像に対して設定された強調度βを修正することにより得られた強調度β１により、１／２画像に対してシャープネス処理を施すようにしたため、強調度β１によりシャープネス処理が施された１／２画像と、強調度βによりシャープネス処理が施された全画像との周波数特性を略一致させることができる。したがって、シャープネスの視覚的な印象を略同一のものとすることができ、これにより、違和感のない適切なシャープネスを有する画像を再生することができる。
【００３３】
なお、上記実施形態においては、最高解像度の１／２の解像度の画像に対してシャープネス処理を施しているが、これに限定されるものではなく、最高解像度の１／２nの解像度の画像に対しても、上記と同様にして強調度βおよび復元する画像の解像度に基づいて強調度β１を求めてシャープネス処理を施すことができる。
【００３４】
また、上記実施形態においては、シャープネス処理に関する情報Ｈを、最高解像度の復元画像データに対してシャープネス処理を施す際の強調度βとしているが、これに限定されるものではなく、最高解像度以外の解像度の画像を表す復元画像データに対してシャープネス処理を施す際の強調度を、シャープネス処理に関する情報Ｈとして符号化画像ファイルＦに付与してもよい。例えば、実際に復元画像データを使用する場合には、最高解像度ではデータ量が大きすぎるため、最高解像度の１／２解像度の画像を表す復元画像データを使用することが多いことから、１／２解像度の画像（１／２画像）を表す復元画像データに対してシャープネス処理を施す際の強調度（β２とする）をシャープネス処理に関する情報Ｈとして符号化画像ファイルＦに付与してもよい。
【００３５】
この場合、１／２画像よりも低い解像度の画像（例えば１／４解像度の画像；１／４画像とする）に対してシャープネス処理を施す場合には、上記実施形態において、全画像を１／２画像、１／２画像を１／４画像とし、強調度β２および式（１）における平滑化フィルタＭをフーリエ変換した関数ｒ（ｆ）から、上記式（２）を用いて強調度β２によりシャープネス処理を施した場合のある周波数（例えば１cycle/mm）におけるシャープネス強調分の周波数特性Ｋ２を求める。そして、１／２画像および１／４画像に対して強調度β２によりシャープネス処理を施した場合の周波数特性から、ある周波数における周波数特性の不足分Ｋ１を求める。そして求められた強調分の周波数特性Ｋ２および不足分Ｋ１から上記式（３）に基づいて、１／４画像に対してシャープネス処理を施す際の強調度の値を設定すればよい。これにより、強調度β２によりシャープネス処理が施された１／２画像と、強調度β２′によりシャープネス処理が施された１／４画像との周波数特性を略一致させることができる。
【００３６】
逆に、１／２画像よりも高い解像度（最高解像度）の画像（全画像）に対してシャープネス処理を施す場合には、以下のようにして強調度を決定する。まず、全画像および１／２画像に対して強調度β２によりシャープネス処理を施した場合の周波数特性を求める。この場合、上記実施形態における図５（ｃ）に示すように全画像を基準とすれば１／２画像は高周波のレスポンスが不足することとなるが、１／２画像を基準とすれば全画像は高周波のレスポンスが余剰していることとなる。したがって、上記式（３）における不足分Ｋ１を余剰分Ｋ１′として、下記の式（３′）により全画像に対してシャープネス処理を施す際の強調度β３を設定すればよい。
【００３７】
β３＝１＋１×（−Ｋ１′／Ｋ２）          （３′）
ここで、１cycle/mmの周波数における余剰分Ｋ１′が０．０５、１cycle/mmの周波数における強調分の周波数特性Ｋ２が０．２であったとすると、全画像に対する強調度β３は、
β３＝１＋１×（−０．０５／０．２）＝０．７５
として求めることができる。これにより、強調度β２によりシャープネス処理が施された１／２画像と、強調度β３によりシャープネス処理が施された全画像との周波数特性を略一致させることができる。
【００３８】
また、上記実施形態においては最高解像度の画像に対する強調度βのみを符号化画像ファイルＦのヘッダ部に記録しているが、各解像度毎に予め強調度β１を求めておき、各解像度毎に求められた強調度β１を符号化画像ファイルＦのヘッダ部に記録しておいてもよい。この際、画像処理装置において読み込む符号化画像データの解像度に応じて、この解像度に対応する強調度β１を読み込んでシャープネス処理を行えばよい。なおこの場合、代表的な周波数（例えば１cycle/mm）における強調度β１のみを記録しておいてもよく、０．５〜２cycle/mmにおける複数の周波数での強調度β１を記録しておいてもよい。なお、最高解像度の画像データにのみ対応する強調度βが、複数の周波数において記録されている場合は、画像処理装置において読み込む符号化画像データの解像度に応じて、パラメータ設定手段３において複数の周波数に対応する強調度β１をそれぞれ求め、これらの平均値を上記式（１）に適用してシャープネス処理を行えばよい。
【００４０】
さらにまた、比較的低解像度の符号化画像データＳ０に対してシャープネス処理を施すとともに補間拡大して再生する場合には、補間拡大による画像の劣化分をも考慮して強調度β１を求めることが好ましい。
【００４１】
また、上記実施形態においては、β＝１のようにβの値が正である場合について説明したが、βは負の値を有するものであってもよい。この場合、シャープネス処理はシャープネス強調処理ではなく、シャープネス低減処理となる。また、強調度βを数値としてではなく、関数として有していてもよいものである。
【００４２】
さらに、上記実施形態では、復元画像データＳ１に対して式（１）によるアンシャープマスキング処理を施しているが、これに限定されるものではなく、復元画像データＳ１の周波数特性を変更するものであればいかなる処理であってもよい。この場合、パラメータはその処理により定義されるパラメータであればよい。
【００４３】
また、パラメータとしては直接的にシャープネス処理に関する情報Ｈに限定されるものではなく、符号化された画像を生成した装置、あるいは画像を再生する装置の機種名等であってもよい。この場合、機種名等からその画像の周波数特性を求め、さらにこの求められた周波数特性と再生する画像の解像度とに基づいて、復元画像データＳ１に対して施すシャープネス処理を決定すればよい。
【００４４】
さらにまた、上記実施形態においては、符号化画像ファイルＦのヘッダ部に強調度βなどのシャープネス処理に関する情報Ｈを記録しているが、シャープネス処理に関する情報Ｈを符号化画像ファイルＦとは別ファイルとして画像サーバ１０に保管しておいてもよい。この場合、符号化画像データＳ０とともにシャープネス処理に関する情報Ｈを記録したファイルをも読み込んで、上記実施形態と同様にパラメータを決定して復元画像データＳ１に対してシャープネス処理を施せばよい。
【００４５】
また、上記実施形態においては、オリジナル画像データをウェーブレット変換しかつ符号化して得られた符号化画像ファイルＦに記録された符号化画像データに対してシャープネス処理を施しているが、例えば上述したＦｌａｓｈＰｉｘ規格のように、オリジナル画像データを解像度毎に階層化して保管してある画像ファイルに記録された画像データであれば、上記実施形態と同様の処理を行うことができる。
【図面の簡単な説明】
【図１】本発明の実施形態による画像処理装置の構成を示す概略ブロック図
【図２】オリジナル画像データをウェーブレット変換して階層毎に符号化する状態を示す図
【図３】本実施形態による画像処理装置において行われる処理を示すフローチャート
【図４】全画像、１／２画像、強調度βによる強調分の周波数特性を示す図
【図５】全画像、１／２画像を強調度βによりシャープネス処理した際の周波数特性および周波数特性の不足分を示す図
【符号の説明】
１    画像ファイル読込手段
２    解凍手段
３    パラメータ設定手段
４    シャープネス処理手段
５    再生手段
１０    画像サーバ
１１    ネットワーク
【図１】
0003635622.tif 000002
【図２】
0003635622.tif 000003
【図３】
0003635622.tif 000004
【図４】
0003635622.tif 000005
【図５】
0003635622.tif 000006